(57)【特許請求の範囲】
【請求項１】
揮散成分を揮散する多数のビーズ状芳香剤を収容した容器本体の内部に空気の通り道を確保して、ビーズ状芳香剤の粒子の間隙に空気を通過させながら揮散成分を揮散させる芳香剤容器であって、
前記容器本体とカバー体とからなり、前記容器本体は前記カバー体に装着可能となっており、前記カバー体は、空気孔を備える前記容器本体の開口面を覆って当該開口面との間に間隔を保持した状態で配置される正面板を有しており、且つ該正面板は、前記カバー体の装着支持部に対して着脱交換可能に取り付けられており、
前記容器本体は、前記開口面の開口周縁部にフランジを備えると共に、側面部に箱側空気孔が形成されている中空断面形状を有する凹箱部と、該凹箱部に収容される前記多数のビーズ状芳香剤と、前記フランジに接着されて前記開口面を覆って取り付けられる、シート側空気孔が形成された開口面被覆シートとを含んで構成されており、
前記正面板は、装飾面を形成する空気孔の無い１枚のプレート部材からなり、前記容器本体の前記フランジよりも一回り大きな正面形状を備える請求項１記載の芳香剤容器。
【請求項２】
前記正面板は、前記１枚のプレート部材の表面にシート状部材を着脱交換可能に重ねて取り付けたものからなる請求項１記載の芳香剤容器。
【請求項３】
前記容器本体の開口面は、略４角形の開口面となっており、前記正面板は、略４角形の正面形状を有している請求項１又は２記載の芳香剤容器。
【請求項４】
前記容器本体は、略４角形の前記開口面の開口周縁部にフランジを備える、略４角形の中空断面形状を有する凹箱部と、該凹箱部に収容される前記多数のビーズ状芳香剤と、前記フランジに接着されて前記開口面を覆って取り付けられる、シート側空気孔が形成された開口面被覆シートとを含んで構成され、
前記容器本体には、前記凹箱部の４方の側面部のうちの一つを主側面部として、当該主側面部に、前記開口面の前記シート側空気孔を介して導入又は導出される空気を導出又は導入する箱側空気孔が形成されていると共に、前記開口面と反対側の前記凹箱部の底面部と、前記主側面部と隣接する一方の側面部との接合角部分に、係着凹部が形成されており、
前記カバー体は、略４角形の正面形状を有する前記正面板と、前記装着支持部とを有しており、
該装着支持部は、張出し壁部と、該張出し壁部の内側に隣接して設けられた、前記容器本体の前記フランジを当接させる当接面を有する間隔保持面部と、前記張出し壁部の後方まで張り出して設けられた、先端部に係着凸部を備える板状張出し部とを含んで構成される請求項３記載の芳香剤容器。
【請求項５】
前記容器本体の前記主側面部の両側に隣接する側面部の前記フランジを、前記カバー体の前記間隔保持面部の当接面に後方から押し当てると共に、前記主側面部とは反対側の側面部の前記フランジの端部を、前記装着支持部の底辺部の前記張出し壁部の内側に当接させ、且つ前記係着凹部に前記板状張出し部の係着凸部を係着させた状態で、前記容器本体が前記カバー体に着脱交換可能に装着される請求項４記載の芳香剤容器。
【発明の詳細な説明】
【技術分野】
【０００１】
本発明は、芳香剤容器に関し、特に、揮散成分を揮散する多数のビーズ状芳香剤を収容した容器本体の内部に空気を通過させて使用する芳香剤容器に関する。
【背景技術】
【０００２】
芳香剤、消臭剤等の薬剤を吸収したビーズ状（粒状）のゲルを収容して、揮散成分を揮散させる容器が種々開発されている（例えば、特許文献１参照）。ビーズ状のゲルによる芳香剤、消臭剤等の薬剤（以下「ビーズ状芳香剤」とする）は、一般に揮散成分を揮散しつつ界面活性剤や溶剤等の水分を分離させるものであり、分離した水分が容器の外に漏れ出ないようにする必要がある。このため、ビーズ状芳香剤を収容した容器では、揮散開口を容器の上部（天面部）に設けて揮散成分を揮散させるようになっている。
【先行技術文献】
【特許文献】
【０００３】
【特許文献１】特開２００７−１７５３１０号公報
【発明の概要】
【発明が解決しようとする課題】
【０００４】
ビーズ状芳香剤は、多数積み上げて容器に収容された場合でも、内部の粒子間に間隙が保持された状態となるので、これらの間隙を空気が通過するようにすれば、粒子間の間隙に面したビーズ状芳香剤の揮散面を効率良く利用して、さらに効果的に揮散成分を揮散させることができるものと考えられる。上記従来のビーズ状芳香剤を用いた芳香剤容器では、容器の天面部にしか揮散開口が形成されていないため、粒子間の間隙を通過する空気の通り道を形成することが難しく、ビーズ状芳香剤の特性を利用してさらに効果的に揮散成分を揮散させることが困難である。
【０００５】
一方、ビーズ状芳香剤の粒子の間隙を通過する空気の通り道を形成するには、例えば容器の少なくとも２面に空気流通用の開口部を設けて、一方の開口部から容器内に空気を導入すると共に、他方の開口部から空気を導出させるようにすることが考えられるが、単に、空気導入用の開口部と、空気導出用の開口部を設けただけでは、揮散成分の揮散が進みすぎて、例えばビーズ状芳香剤による香りが強くなりすぎたり、香りの持続時間を十分に確保することが困難になる。
【０００６】
また、芳香剤容器には、そのデコレーション性を向上させるために、着色、デザイン画、写真画、広告、説明書き等を施すための装飾面が、見やすい形状や大きさで設けられていることが望ましく、且つ見やすい向きに配設できるようになっていることが望ましい。さらに、装飾面の装飾を、使用場所や、季節の変化等に応じて交換できるようにすることで、デコレーション性を一層向上せることが可能になることから、見やすいように設けられた装飾面の装飾を容易に交換できるようにすることが望ましい。
【０００７】
本発明は、容器に収容されたビーズ状芳香剤の粒子の間隙を通過する空気の通り道を形成して、ビーズ状芳香剤から効率良く揮散成分を揮散させることができると共に、揮散成分の揮散を効果的に抑制して、香りやの消臭機能の持続時間を十分に確保することができ、且つ見やすいように設けられた装飾面の装飾を容易に交換することのできる芳香剤容器を提供することを目的とする。
【０００８】
なお、本明細書中では、芳香剤には、消臭剤及び消臭芳香剤も含むものとする。
【課題を解決するための手段】
【０００９】
本発明は、揮散成分を揮散する多数のビーズ状芳香剤を収容した容器本体の内部に空気の通り道を確保して、ビーズ状芳香剤の粒子の間隙に空気を通過させながら揮散成分を揮散させる芳香剤容器であって、前記容器本体とカバー体とからなり、前記容器本体は前記カバー体に装着可能となっており、前記カバー体は、空気孔を備える前記容器本体の開口面を覆って当該開口面との間に間隔を保持した状態で配置される正面板を有しており、且つ該正面板は、前記カバー体の装着支持部に対して着脱交換可能に取り付けられている芳香剤容器を提供することにより、上記目的を達成したものである。
【発明の効果】
【００１０】
本発明の芳香剤容器によれば、容器に収容されたビーズ状芳香剤の粒子の間隙を通過する空気の通り道を形成して、ビーズ状芳香剤から効率良く揮散成分を揮散させることができると共に、揮散成分の揮散を効果的に抑制して、香りやの消臭機能の持続時間を十分に確保することができ、且つ見やすいように設けられた装飾面の装飾を容易に交換することができる。
【図面の簡単な説明】
【００１１】
【図１】本発明の好ましい一実施形態に係る芳香剤容器の、（ａ）は斜め前方から見た斜視図、（ｂ）は斜め後方から見た斜視図である。
【図２】本発明の好ましい一実施形態に係る芳香剤容器の、カバー体を透視した状態で示す側面図である。
【図３】（ａ）は容器本体の構成を説明する分解斜視図、（ｂ）は容器本体の斜視図である。
【図４】カバー体を斜め後方から見た斜視図である。
【図５】（ａ）はカバー体の分解斜視図、（ｂ）はカバー体の斜視図である。
【図６】（ａ）はカバー体の正面板の他の形態を例示する斜視図、（ｂ）は（ａ）の正面板が取り付けられたカバー体の斜視図である。
【図７】（ａ）はカバー体の正面板の更に他の形態を例示する斜視図、（ｂ）は（ａ）の正面板が取り付けられたカバー体の斜視図である。
【図８】被係着部と係着部とによる正面板の着脱手段を例示する拡大断面図である。
【発明を実施するための形態】
【００１２】
本発明の好ましい一実施形態に係る芳香剤容器１０は、図１（ａ），（ｂ）及び図２に示すように、例えば球形粒状のゲルからなるビーズ状芳香剤１２（図３（ａ）参照）を凹箱部１３に多数収容した容器本体１１と、容器本体１１の開口面１１ａを覆って配置される正面板２０を有するカバー体１４とを含んで構成される。本実施形態の芳香剤容器１０は、ビーズ状芳香剤１２から揮散される揮散成分を、容器本体１１の開口面１１ａに形成されたシート側空気孔１５（図３（ｂ）参照）と、容器本体１１の凹箱部１３の主側面部１７ａに形成された箱側空気孔１６とを介して容器本体１１の内部を通過する空気によって、外部に揮散させて芳香作用を発揮させる。
【００１３】
また、本実施形態の芳香剤容器１０は、カバー体１４の正面板２０を側方に向けると共に、容器本体１１の凹箱部１３の箱側空気孔１６が形成された主側面部１７ａを上部に配置して、縦置きにした状態で使用されるように使用者を誘導することで、ビーズ状芳香剤１２から揮散される揮散成分を効率良く揮散させると共に、ビーズ状芳香剤１２からの揮散成分の揮散を効果的に抑制して、例えばビーズ状芳香剤１２による香りが強くなりすぎたり、香りの持続時間を十分に確保できなくなるのを回避する機能を備える。
【００１４】
さらに、本実施形態の芳香剤容器１０は、縦置きにした使用状態で、大きな装飾面を備えるカバー体１４の正面板２０が、側方に向けて見やすいように配置されると共に、装飾面の装飾を交換可能とすることで、芳香剤容器１０のデコレーション性を向上せることができるようになっている。
【００１５】
そして、本実施形態の芳香剤容器１０は、図１（ａ），（ｂ）及び図２に示すように、揮散成分を揮散する多数のビーズ状芳香剤１２（図３（ａ）参照）を収容した容器本体１１の内部に空気の通り道を確保して、ビーズ状芳香剤１２の粒子の間隙に空気を通過させながら揮散成分を揮散させる容器であって、容器本体１１とカバー体１４とからなり、容器本体１１はカバー体１４に装着可能となっており、カバー体１４は、空気孔１５を備える容器本体１１の開口面１１ａ（凹箱部１３の天面開口部１３ａ）を覆って当該開口面１１ａとの間に間隔３０を保持した状態で配置される正面板２０を有しており、且つ正面板２０は、カバー体１４の装着支持部２２に対して着脱交換可能に取り付けられている（図５（ａ）、（ｂ）参照）。
【００１６】
また、本実施形態の芳香剤容器１０では、容器本体１１の開口面１１ａは、略４角形の開口面として、略正方形の開口面となっており（図３（ａ）参照）、正面板２０は、略４角形の正面形状として、略正方形の正面形状を有している。
【００１７】
さらに、本実施形態の芳香剤容器１０では、容器本体１１は、図３（ａ）、（ｂ）にも示すように、略４角形の開口面１１ａの開口周縁部にフランジ１８を備える、略４角形の中空断面形状を有する凹箱部１３と、凹箱部に収容される多数のビーズ状芳香剤１２と、フランジ１８に接着されて開口面１１ａを覆って取り付けられる、シート側空気孔１５が形成された開口面被覆シート１９とを含んで構成される。容器本体１１には、凹箱部１３の４方の側面部１７ａ，１７ｂ，１７ｂ，１７ｃのうちの一つを主側面部１７ａとして、当該主側面部１７ａに、開口面１１ａのシート側空気孔１５を介して導入又は導出される空気を導出又は導入する箱側空気孔１６が形成されていると共に、開口面１１ａと反対側の凹箱部１３の底面部１３ｂと、主側面部１７ａと隣接する一方の側面部１７ｂとの接合角部分に、係着凹部２１が形成されている。
【００１８】
カバー体１４は、図４及び図５（ａ）、（ｂ）にも示すように、略４角形の正面形状を有する正面板２０と、装着支持部２２とを有している。本実施形態では、装着支持部２２は、正面板２０の、隣接する一対の角部２０ａを含む周縁部に沿った略Ｕ字形（略コの字形を含む）の形状部分と対応する、略Ｕ字形（略コの字形を含む）の正面形状を備える。装着支持部２２は、例えば当該装着支持部２２の前面側に配置された着脱係止面部２２ａの後方に向けて、好ましくは斜め内側に張り出して設けられた張出し壁部２３と、張出し壁部２３の内側に隣接して設けられた、容器本体１１のフランジ１８を当接させる当接面２４ａを有する間隔保持面部２４と、張出し壁部２３の後方まで張り出して設けられた、先端部に係着凸部２５を備える板状張出し部２６とを含んで構成される。本実施形態では、間隔保持面部２４は、装着支持部２２の略Ｕ字形の正面形状の両側の立上り部２２ｂ,２２ｂにおける張出し壁部２３ａの内側に隣接して各々設けられており、当接面２４ａは、正面板２０が着脱可能に係止される着脱係止面部２２ａと平行又は略平行に延設している。本実施形態では、板状張出し部２６は、装着支持部２２の略Ｕ字形の正面形状の一方の立上り部２２ｂから後方に張り出して設けられている。
【００１９】
図１（ａ）、（ｂ）及び図２に示すように、容器本体１１の主側面部１７ａの両側に隣接する側面部１７ｂ，１７ｂのフランジ１８を、カバー体１４の間隔保持面部２４に後方から押し当てると共に、主側面部１７ａと対向するこれと反対側の側面部１７ｃのフランジ１８の端部（下端部）１８ａを、装着支持部２２の底辺部２２ｃの張出し壁部２３ｂの内側に当接させ、且つ係着凹部２１に板状張出し部２６の係着凸部２５を係着させた状態で、容器本体１１がカバー体１４に着脱交換可能に装着されるようになっている。
【００２０】
本実施形態では、容器本体１１の凹箱部１３は、好ましくは合成樹脂製の成形品であって、図３（ａ）、（ｂ）に示すように、略４角形の中空断面形状として、角部が弧状に面取りされた略正方形の中空断面形状を備える箱形状に形成される。また凹箱部１３は、略正方形の底面部１３ｂと、底面部１３ｂの周縁部から上方に連続して立設する４方の側面部１７ａ，１７ｂ，，１７ｂ，１７ｃとからなる。これらの側面部１７ａ，１７ｂ，１７ｂ，１７ｃは、底面部１３ｂの弧状に面取りされた角部に沿って立設する湾曲接続部１７ｄを介して一体として連続している。またこれらの側面部１７ａ，１７ｂ，１７ｂ，１７ｃは、湾曲接続部１７ｄと共に上方に向けて外側にやや傾いた状態で立設している。これらの側面部１７ａ，１７ｂ，１７ｂ，１７ｃ及び湾曲接続部１７ｄの上端の、フランジ１８によって縁取りされた凹箱部１３の天面開口部１３ａが、容器本体１１の開口面１１ａを形成する。この天面開口部１３ａによる容器本体１１の開口面１１ａは、凹箱部１３にビーズ状芳香剤１２を収容した後に、フランジ１８を介して、多数のシート側空気孔１５が形成された開口面被覆シート１９が貼着されることによって覆われる。
【００２１】
また、本実施形態では、容器本体１１の凹箱部１３の４方の側面部１７ａ，１７ｂ，１７ｂ，１７ｃのうちの一つを主側面部１７ａとして、この主側面部１７ａに例えば細長い長円形状の箱側空気孔１６が、長軸方向を平行に配置して複数開口形成されている。箱側空気孔１６は、複数設ける必要は必ずしも無く、１箇所にのみ設けることもできる。箱側空気孔１６は、芳香剤容器１０が使用される前は、例えば当該箱側空気孔１６を覆って合成樹脂製の貼着シート（図示せず）を剥離可能に主側面部１７ａに貼り付けておくことで、容易に閉塞しておくことができる。この貼着シートを芳香剤容器１０の使用時に主側面部１７ａから引き剥がすことによって、箱側空気孔１６を開放することができる。
【００２２】
さらに、本実施形態では、容器本体１１の凹箱部１３の底面部１３ｂと、主側面部１７ａと隣接する一方の側面部１７ｂとの接合角部分には、図１（ｂ）及び図２に示すように、係着凹部２１が形成されている。本実施形態では、係着凹部２１は、底面部１３ｂと一方の側面部１７ｂとの接合角部分に沿って延設すると共に、一方の端部を主側面部１７ａに開放させ、他方の端部を当該接合角部分の略中央部分で終端させた、略矩形断面形状を備える切り欠き溝として形成されている。この係着凹部２１には、容器本体１１をカバー体１４に装着する際に、カバー体１４の板状張出し部２６の係着凸部２５が係着される。
【００２３】
容器本体１１の開口面１１ａを覆って取り付けられる開口面被覆シート１９は、図３（ａ），（ｂ）に示すように、例えば合成樹脂製の透明なシート材料からなり、ビーズ状芳香剤１２の外形よりも相当程度小さな開口幅を有するシート側空気孔１５が、開口面１１ａを覆う領域に分散配置されて多数開口形成されている。開口面被覆シート１９は、接着剤等を介して、又はヒートシールを施すことによって、周縁部が容器本体１１のフランジ１８に強固に接着固定される。開口面被覆シート１９は、芳香剤容器１０が使用される前は、例えば当該開口面被覆シート１９を覆って合成樹脂製の貼着シート（図示せず）を剥離可能に貼り付けておくことで、容易にシート側空気孔１５を閉塞しておくことができる。この貼着シートを芳香剤容器１０の使用時に引き剥がすことによって、シート側空気孔１５を開放することができる。
【００２４】
本実施形態では、カバー体１４は、好ましくは合成樹脂製の成形品であって、図１（ａ）、（ｂ）、図２、図４、及び図５（ａ）、（ｂ）に示すように、略４角形の正面形状を備える正面板２０と、容器本体１１が装着される装着支持部２２とからなり、正面板２０は、装着支持部２２に対して着脱交換可能に取り付けられている。カバー体１４は、金属、木、紙、パルプ、ガラス、陶器等を用いて形成することもできる。
【００２５】
正面板２０は、本実施形態では、１枚のプレート部材からなり、略４角形の正面形状として、略正方形の環状に配置された容器本体１１のフランジ１８よりも一回り大きな、平面視して角部が弧状に面取りされた略正方形の正面形状を備える。これによって、正面板２０は、その表面に、着色、デザイン画、写真画、広告、説明書き等の装飾を施すのに適した、適度な大きさ及び形状の装飾面２０ｂを形成することができる。正面板は、合成樹脂製の他、金属、木、紙、パルプ、ガラス、陶器等を用いて形成することもできる。
【００２６】
また、本実施形態では、正面板２０の裏面には、後述する装着支持部２２の前面側に配置された着脱係止面部２２ａに設けられた、例えば嵌合係着凹部による被係着部２９ａ（図８参照）と対応する位置に、例えば嵌合係着凸部による係着部２９ｂ（図８参照）が設けられている（図５（ａ）参照）。これらの被係着部２９ａと係着部２９ｂとによる着脱手段を介して、正面板２０が、装着支持部２２に対して着脱交換可能に取り付けられることになる。ここで、被係着部２９ａと係着部２９ｂとによる着脱手段としては、例えば図８に示すような、嵌合係着凹部と嵌合係着凸部とによるものの他、マジックテープ（登録商標）のオス材とメス材を用いたもの等、公知の各種の着脱手段を採用することができる。例えば上下の係着箇所のうちの一方に蝶番を用いることで、着脱のしやすさを向上させることもできる。この場合には、他方の係着箇所に例えば嵌合係着凹部と嵌合係着凸部とによる着脱手段を用い、蝶番による係着箇所では、ピン（回転軸）を引き抜くことで、着脱可能としたものを用いることができる。
【００２７】
装着支持部２２は、本実施形態では、正面板２０が配置される前面側に設けられた着脱係止面部２２ａと、着脱係止面部２２ａの後方に張り出して設けられた張出し壁部２３とからなり、正面板２０の下部の弧状に面取りされた一対の角部２０ａを含む、当該正面板２０の周縁部に沿った略Ｕ字形の形状部分と対応する形状の、略Ｕ字形の正面形状を備える。
【００２８】
装着支持部２２の着脱係止面部２２ａは、図５（ａ）に示すように、その前面側の端面を平坦な同じ面上に配置して、装着支持部２２の略Ｕ字形の正面形状の両側の立上り部２２ｂ，２２ｂの上部と、略Ｕ字形の正面形状の底辺部２２ｃとに設けられている。底辺部２２ｃに設けられた着脱係止面部２２ａは、その両側部分を弧状に湾曲させて上方に延設させている。これらの着脱係止面部２２ａの前面側の端面には、上述の正面板２０の裏面に設けられた係着部２９ｂを着脱可能に係着させる、被係着部２９ａが設けられている。
【００２９】
装着支持部２２の張出し壁部２３は、本実施形態では、着脱係止面部２２ａから後方に向けて張り出すように延設すると共に、装着支持部２２の略Ｕ字形の正面形状の周方向に連続して、例えば容器本体１１の凹箱部１３の側面部１７ａ，１７ｂ，１７ｂ，１７ｃの高さと同じか又はこれよりも若干小さな張出し長さで設けられている。張出し壁部２３は、その全周に亘って、後方に向けて例えば０〜２０°、好ましくは５〜１２°程度の傾斜角度で斜め内側に傾斜して設けられている。張出し壁部２３が斜め内側に傾斜して設けられていることにより、張出し壁部２３が後方に張し出していないカバー体１４の上部側から装着された容器本体１１が、開口面１１ａをカバー体１４の正面板２０と近接させた装着状態から、後方に向けて引き出されないようにすることが可能になる。また、装着支持部２２の略Ｕ字形の正面形状の底辺部２２ｃの張出し壁部２３ｂを載置部として、例えば、棚、テーブル、床、等の被載置面４０に芳香剤容器１０を載置した際に（図２参照）、側方に向けたカバー体１４の正面板２０の装飾面２０ｂとなっている表面を、斜め上方に傾けさせて、人の視覚に入りやすいようにすることが可能になる。
【００３０】
また、本実施形態では、装着支持部２２の略Ｕ字形の正面形状の両側の立上り部２２ｂ，２２ｂにおける張出し壁部２３ａの内側に隣接して、図４及び図５（ａ）に示すように、間隔保持面部２４が各々設けられている。
【００３１】
間隔保持面部２４は、本実施形態では、装着支持部２２の両側の立上り部２２ｂ，２２ｂにおける張出し壁部２３ａの内側面から、容器本体１１の凹箱部１３のフランジ１８の幅と略同様の突出幅で内側に各々突出すると共に、当該内側面に沿って、着脱係止面部２２ａと平行又は略平行に配設されて相当の長さで縦方向に延設して設けられている。間隔保持プレート部２４は、その一方の端部（下端部）を、装着支持部２２の立上り部２２ｂと底辺部２２ｃとの間の弧状接合部２２ｄの張出し壁部２３ｃの内側面に接合させると共に、その他方の端部（上端部）に、スロープ部２７を連設させた状態で設けられている。間隔保持プレート部２４は、これの後側の面を当接面２４ａとして、後方から容器本体１１のフランジ１８を押し当てさせることで、開口面被覆シート１９によって覆われた容器本体１１の開口面１１ａと、カバー体１４の正面板２０との間に空気流通用の間隔部分３０を保持させることが可能になる（図２参照）。
【００３２】
スロープ部２７は、間隔保持面部２４の上端部に連設すると共に、正面板２０の裏面に向けて緩い勾配で斜めに延設して、その上端部を、装着支持部２２の両側の立上り部２２ｂ，２２ｂの上部に設けられた着脱係止面部２２ａの裏面に接合させた状態で設けられている。間隔保持面部２４の上端部に連続してスロープ部２７が設けられていることにより、カバー体１４に容器本体１１を上方から装着する際に、容器本体１１のフランジ１８が、正面板２０と間隔保持面部２４との間に誤って差し込まれるのを効果的に回避することができる。またスロープ部２７が設けられていることにより、正面板２０と間隔保持面部２４との間の部分に向けて差し込まれたフランジ１８を、スロープ部２７に沿って間隔保持面部２４の後方にスライド移動させるようにガイドすることが可能になる。
【００３３】
本実施形態では、装着支持部２２の底辺部２２ｃの張出し壁部２３ｂには、これの内側面から上方に突出して、一対のガイドリブ２８が設けられている。ガイドリブ２８は、底辺部２２ｃの張出し壁部２３ｂの中央部分を挟んだ両側に、正面板２０と直角に交差する方向に延設して設けられている。ガイドリブ２８は、正面板２０と近接する側の先端部を、両側の間隔保持面部２４の下端部後面を結ぶ線分から、容器本体１１のフランジ１８の肉厚相当分離れた位置に配置した状態で設けられている。また、ガイドリブ２８の正面板２０と近接する側の部分には、正面板２０側に向けて下方に傾斜する、傾斜面部２８ａが設けられている。
【００３４】
装着支持部２２の底辺部２２ｃの張出し壁部２３ｂに、傾斜面部２８ａを備えるガイドリブ２８が設けられていることにより、容器本体１１をカバー体１４に上方から装着して、容器本体１１の主側面部１７ａとは反対側の側面部１７ｃのフランジ１８の端部（下端部）１８ａを、底辺部２２ｃの張出し壁部２３ｂの内側に当接させる際に、ガイドリブ２８の傾斜面部２８ａに沿わせるようにして、当該フランジ１８の端部１８ａを、正面板２０に向けて前方に僅かにスライド移動させることが可能になる。これによって、当該フランジ１８の端部１８ａを、両側の間隔保持面部２４の後面とガイドリブ２８の先端部との間に挟み込むように位置め決して、より安定した状態で容器本体１１をカバー体１４に装着することが可能になる（図２参照）。
【００３５】
また、本実施形態では、図５（ａ）に示すように、装着支持部２２の両側の立上り部２２ｂ，２２ｂの張出し壁部２３ａにおける、間隔保持面部２４よりも前面側の、立上り部２２ｂの上部の着脱係止面部２２ａと、底辺部２２ｃの着脱係止面部２２ａとの間の部分は、立上り部２２ｂと底辺部２２ｃとの間の弧状接合部２２ｄの張出し壁部２３ｃの部分を含めて、間隔保持面部２４の前面に沿って括れた括れ部３２となっている。立上り部２２ｂの張出し壁部２３ａに括れ部３２が形成されていることにより、装着支持部２２に正面板２０が取り付けられた際に、当該括れ部３２によって、図５（ｂ）及び図２に示すように、立上り部２２ｂの張出し壁部２３ａに通気用の開口窓３１が切欠き形成されることになる。立上り部２２ｂの張出し壁部２３ａに通気用の開口窓３１が形成されることにより、開口面被覆シート１９によって覆われた容器本体１１の開口面１１ａと、カバー体１４の正面板２０との間の空気流通用の間隔部分３０の全体に、さらに効率良く空気を流通させることが可能になる。
【００３６】
本実施形態では、さらに、装着支持部２２の略Ｕ字形の正面形状の一方の立上り部２２ｂにおける張出し壁部２３ａから後方に張り出して、先端部に係着凸部２５を備える板状張出し部２６が設けられている。
【００３７】
板状張出し部２６は、本実施形態では、図１（ｂ）、図２、図４、及び図５（ａ）に示すように、その基部を、一方の立上り部２２ｂの張出し壁部２３ａの上部に一体接合して、基部から後方に片持ち梁形状に張り出した状態で設けられている。板状張出し部２６は、基部が一体接合された部分の張出し壁部２３ａと共に、弾性変形可能な板バネとして機能することができる。板状張出し部２６は、例えば張出し壁部２３ａと共に外側に押し拡げることで、容器本体１１をカバー体１４に上方から装着する際に、先端の係着凸部２５が邪魔にならないようにすることができる。また外側に押し拡げた状態を解除することで、その弾性復元力により元の状態に戻ろうとして、装着された容器本体１１の係着凹部２１に先端の係着凸部２５を係着させることが可能になる。
【００３８】
板状張出し部２６の先端部に設けられた係着凸部２５は、板状張出し部２６から略直角に内側に折れ曲がって、容器本体１１の係着凹部２１の幅よりも僅かに短い突出長さで突出すると共に、斜辺部分２５ａを備える縦長の略直角台形状の突出片として設けられている。係着凸部２５は、間隔保持面部２４に後方からフランジ１８を押し当てた状態で、カバー体１４に容器本体１１が装着された際に、当該係着凸部２５の内側面が係着凹部２１の段差係着面２１ａに係着又は近接して配置されるような位置に設けられている。
【００３９】
また、係着凸部２５が斜辺部分２５ａを斜め上方に向けた略直角台形状の突出片となっていることにより、主側面部１７ａを上部に配設して、容器本体１１をカバー体１４に上方から装着する際に、係着凸部２５は、例えば板状張出し部２６を手の指で外側に押し拡げなくても、主側面部１７ａと隣接する係着凹部２１が形成された一方の側面部１７ｂの、当該係着凹部２１よりも下方の部分に、板状張出し部２６を外側に押し拡げるようにしながら斜辺部分２５ａを介してスムーズに乗り上がることが可能になる。一方の側面部１７ｂに乗り上がった係着凸部２５は、略直角台形状の底辺部２５ｂが、押し拡げられた板バネの板状張出し部２６の弾性復元力によって係着凹部２１に落ち込むまで、当該一方の側面部１７ｂに沿ってスライド移動する。係着凹部２１に落ち込んで当該係着凹部２１に係着された係着凸部２５は、略直角台形状の底辺部２５ｂが係着凹部２１の終端面に係止されることで、ストッパーとして機能する。これによって、装着された容器本体１１がカバー体１４から脱落するのを効果的に回避することが可能になる。
【００４０】
本実施形態では、板状張出し部２６の係着凸部２５よりもさらに先端側には、指掛けつば部３３が設けられている。指掛けつば部３３に指を係止することで、容器本体１１をカバー体１４から取り外す際に、板状張出し部２６を外側に押し拡げて係着凸部２５の係着状態を解除する操作を、スムーズに行うことが可能になる。
【００４１】
また、本実施形態では、張出し壁部２３の後端縁部から略Ｕ字形の正面形状の内側に折れ曲がるように立設して、縁取りフランジ部３４が、板状張出し部２６が張り出す部分を除いた、張出し壁部２３の略全周に亘って設けられている。縁取りフランジ部３４は、容器本体１１の略正方形の中空断面形状を有する凹箱部１３の外周面に沿った形状の内側縁部を備えるように設けられる。張出し壁部２３の後端縁部に縁取りフランジ部３４が設けられていることにより、カバー体１４に容器本体１１が装着された際に、凹箱部１３の主側面部１７ａを除く側面部１７ｂ，１７ｂ，１７ｃと、張出し壁部２３との間の隙間を埋めて、容器本体１１をカバー体１４に、ガタツキ等が生じないようにさらに安定した状態で装着することが可能になる。
【００４２】
上述の構成を備える本実施形態の芳香剤容器１０によれば、主側面部１７ａを上部に配設すると共に、開口面１１ａを正面板２０と略平行に配設して、容器本体１１を、カバー体１４に設けられた張出し壁部２３の内側（両立上り部の張出し壁部２３ａの間）に向けて、上方から着脱交換可能に装着することで、容器本体１１とカバー体１４とを容易に一体化することができる。しかる後に、装着支持部２２の底辺部２２ｃの張出し壁部２３ｂを載置部として、図２に示すように、カバー体１４の正面板２０を側方に向け、且つ容器本体１１の主側面部１７ａを上部に配置することで縦置きにした状態で、芳香剤容器１０を被載置面４０に載置する。これによって、芳香剤容器１０を、例えば、棚、テーブル、床、等の被載置面４０に安定した状態で載置して使用することができる。
【００４３】
そして、本実施形態の芳香剤容器１０によれば、容器本体１１に収容されたビーズ状芳香剤１２の粒子の間隙を通過する空気の通り道を形成して、ビーズ状芳香剤１２から効率良く揮散成分を揮散させることが可能になると共に、揮散成分の揮散を効果的に抑制して、香りやの消臭機能の持続時間を十分に確保することが可能になり、且つ見やすいように設けられた装飾面２０ｂの装飾を容易に交換することが可能になる。
【００４４】
すなわち、本実施形態によれば、芳香剤容器１０は、縦置きされた状態で横方向を向いた容器本体１１の開口面１１ａのシート側空気孔１５と、上部に配置された容器本体１１の主側面部１７ａの箱側空気孔１６とを介して、容器本体１１の内部に空気を容易に通過させることが可能になるので、容器本体１１に収容されたビーズ状芳香剤１２の粒子の間隙を通過する空気の通り道を容易に形成して、ビーズ状芳香剤１２から効率良く揮散成分を揮散させることが可能になる。
【００４５】
また、本実施形態の芳香剤容器１０によれば、容器本体１１の開口面１１ａの全体を覆って当該開口面１１ａとの間に間隔部分３０を保持した状態で、カバー体１４の正面板２０が配置されている。正面板２０は、開口面１１ａの全体を覆って配置されることで、開口面１１ａに向かう気流を遮蔽したり、制限したりして揮散成分の揮散を制御できるものと考えられる。これによって、例えば容器本体１１の開口面１１ａに向う空気の流れを正面板２０によって遮断して、シート側空気孔１５から直接的に勢い良く空気が容器本体１１の内部に導入されるのを回避できると共に、正面板２０の裏側の間隔部分３０に回り込むようにして、間接的に流入した勢いの衰えた空気のみを、開口面１１ａのシート側空気孔１５から容器本体１１の内部に導入できるようになっているので、例えばビーズ状芳香剤１２による香りが強くなりすぎたり、香りの持続時間を十分に確保できなくなるのを効果的に回避することが可能になる。
【００４６】
さらに、本実施形態の芳香剤容器１０によれば、容器本体１１の主側面部１７ａと隣接する、一方の側面部１７ｂと底面部１３ｂとの接合角部分に形成された係着凹部２１に、カバー体１４の装着支持部２２の一方の立上り部２２ｂの張出し壁部２３ａから後方に張り出して設けられた、板状張出し部２６の係着凸部２５を係着させることで、容器本体１１がカバー体１４に装着されるようになっている。したがって、箱側空気孔１６が形成された主側面部１７ａを上部に配設した状態で、容器本体１１を、カバー体１４の張出し壁部２３に向けて上方から装着することができるようになっている。また、容器本体１１がカバー体１４に装着された状態では、容器本体１１の主側面部１７ａとは反対側の、装着支持部２２の底辺部２２ｃの張出し壁部２３ｂを載置部として下部に配置することで、芳香剤容器１０を縦置きして安定した状態で被載置面４０に載置することができるようになっている。
【００４７】
これらによって、本実施形態の芳香剤容器１０によれば、正面板２０を側方に向け、且つ主側面部１７ａを上部に配置して縦置きにした状態で使用されるように、使用者を容易に誘導することが可能になると共に、ビーズ状芳香剤１２から揮散される揮散成分を、容器１０の上部に配置された箱側空気孔１６等から効果的に且つ効率良く揮散させることが可能になる。
【００４８】
また、本実施形態の芳香剤容器１０によれば、正面板２０は、その表面に、着色、デザイン画、写真画、広告、説明書き等の装飾を施すのに適した、適度な大きさ及び形状を備え、且つ見やすい向きに配設される装飾面２０ｂを有しており、また正面板２０は、装着支持部２２に対して着脱交換可能に取り付けられて、装着支持部２２と共にカバー体１４を構成しているので、正面板２０を交換するだけで、これの表面の装飾面２０ｂに施された装飾を、使用場所や、季節の変化等に応じて容易に交換することが可能になり、これによって容器１０のデコレーション性を一層向上せることが可能になる。
【００４９】
さらに、本実施形態の芳香剤容器１０によれば、容器本体１１の開口面１１ａを覆う開口面被覆シート１９に形成されたシート側空気孔１５のうち、縦置きした状態で最も下側に配置されるシート側空気孔１５よりも下方の部分が、ビーズ状芳香剤１２から分離した水分を液溜めする液溜り部として機能するので、ビーズ状芳香剤１２から分離した水分が容器本体１１の外に漏れ出るのを効果的に回避することも可能になる。
【００５０】
図６（ａ）、（ｂ）は、装着支持部２２に着脱交換可能に取り付けられて、装着支持部２２と共にカバー体１４を構成する正面板の他の形態を例示するものである。図６（ａ）、（ｂ）に示す正面板２０’は、略正方形状の環状枠部３４の内側開口３５を覆って、例えば写真、デザイン画等の、装飾に用いるシート状部材３６を取り付けたものからなる。すなわち、図６（ａ）、（ｂ）に示す正面板２０’は、図５（ａ）、（ｂ）に示す正面板２０と同様に、例えば被係着部と係着部とによる着脱手段を介して、装着支持部２２に着脱交換可能に取付け可能となっていることに加えて、内側開口３５の開口周縁部に沿って環状枠部３４に形成された段差部３４ａに、別部材であるシート状部材３６を交換可能に嵌め込んで、接着やインサート成形などによって固定することで、内側開口３５を覆った状態でシート状部材３６を一体として取付け可能となっている。図６（ａ）、（ｂ）に示す正面板２０’では、内側開口３５を覆って取り付けられるシート状部材３６を、通気性を備えるものとすることで、容器本体１１の開口面１１ａとの間の間隔部分３０への通気を制御することが可能になる。また透明なシート状部材３６とすることで、容器本体１１に収容されたビーズ状芳香剤１２の残量を確認することが可能になる。
【００５１】
図７（ａ）、（ｂ）は、装着支持部２２に着脱交換可能に取り付けられて、装着支持部２２と共にカバー体１４を構成する正面板の更に他の形態を例示するものである。図７（ａ）、（ｂ）に示す正面板２０”は、１枚のプレート部材３７の表面に、例えば写真、デザイン画等の、装飾に用いるシート状部材３６を着脱交換可能に重ねて取り付けたものからなる。すなわち、図７（ａ）、（ｂ）に示す正面板２０”は、図５（ａ）、（ｂ）に示す正面板２０と同様に、例えば被係着部と係着部とによる着脱手段を介して、装着支持部２２に着脱交換可能に取付け可能となっていることに加えて、プレート部材３７の表面に設けられた、両側部に装着スリット３８ａを備える装着枠部３８に、別部材であるシート状部材３６を、両側縁部を装着スリット３８ａに上方から差し込むようにしながら交換可能に嵌め込んで、プレート部材３７の表面に重ねて取付け可能となっている。
【００５２】
図６（ａ）、（ｂ）の正面板２０’や、図７（ａ）、（ｂ）の正面板２０”を装着支持部２２に着脱交換可能に取り付けたカバー体１４を用いた芳香剤容器１０によっても、正面板２０’，２０”や、正面板２０’，２０”に取り付けたシート状部材３６を交換するだけで、これらの表面の装飾面２０ｂ’，２０ｂ”に施された装飾を、使用場所や、季節の変化等に応じて容易に交換することが可能になって、上述と同様の作用効果が奏される。
【００５３】
なお、本発明は上記実施形態に限定されることなく種々の変更が可能である。例えば、カバー体の正面板や凹箱部は、略正方形の正面形状や中空断面形状を備えている必要は必ずしも無く、略矩形や略台形等の、その他の種々の略４角形の正面形状や中空断面形状を備えていても良い。略４角形の正面形状や中空断面形状以外の、その他の形状を備えていても良い。また、本発明の芳香剤容器は、容器本体の箱側空気孔が形成された側面部を上部に配置して、縦置きにして用いることが通常であるが、例えば容器本体の底面部を被載置面に載置して、横置きして用いることもできる。さらに、容器本体の側面部の箱側空気孔を空気導入用の孔とし、容器本体の開口面のシート側空気孔を空気導出用の孔として、容器本体の内部に、箱側空気孔からシート側空気孔に向う空気の流れを生じさせながら揮散成分を揮散させることもできる。
【００５４】
また、カバー体の正面板は、装着支持部の正面形状よりも大きな正面形状を備えていて、これの周縁部を全周に亘って装着支持部の外側に突出させた状態で、装着支持部に取り付けられるものであっても良い。装着支持部は、略Ｕ字形（略コの字形を含む）の正面形状を備えている必要は必ずしもなく、例えば略Ｕ字形の両側の立上り部の上端部をつなげて環状に形成することにより、強度アップを図ることもできる。
【符号の説明】
【００５５】
１０  芳香剤容器
１１  容器本体
１１ａ  開口面
１２  ビーズ状芳香剤
１３  凹箱部
１４  カバー体
１５  シート側空気孔
１６  箱側空気孔
１８  フランジ
１９  開口面被覆シート
２０，２０’，２０”  正面板
２１  係着凹部
２２  装着支持部
２２ａ  着脱係止面部
２２ｂ  立上り部
２２ｃ  底辺部
２３  張出し壁部
２３ａ  立上り部の張出し壁部
２３ｂ  底辺部の張出し壁部
２４  間隔保持面部
２４ａ  当接面
２５  係着凸部
２６  板状張出し部
２７  スロープ部
２８  ガイドリブ
２８ａ  傾斜面部
３０  空気流通用の間隔部分
３１  開口窓
３４  環状枠部
３５  内側開口
３６  シート状部材
３７  プレート部材
４０  被載置面
【図１】
0005921149.tif 000002
【図２】
0005921149.tif 000003
【図３】
0005921149.tif 000004
【図４】
0005921149.tif 000005
【図５】
0005921149.tif 000006
【図６】
0005921149.tif 000007
【図７】
0005921149.tif 000008
【図８】
0005921149.tif 000009